(57)【特許請求の範囲】
【請求項１】
プラスチック基材層と熱接着性樹脂層を備えた積層フィルムからなり、周縁の熱接着部に点字が形成された点字付き高温滅菌用袋に内容物を収納して高温滅菌した点字付き高温滅菌包装体において、前記点字付き高温滅菌包装体の点字の高さが１００〜２５０μｍであって、前記点字が前記点字付き高温滅菌用袋を製造する際の熱接着工程と別の工程にて、雌型と雄型を使用した常温でのエンボスにより形成されたものであることを特徴とする点字付き高温滅菌包装体。
【請求項２】
プラスチック基材層と熱接着性樹脂層からなる４角形状の２枚の積層フィルムの熱接着性樹脂層を合わせた状態で４角形状の三辺からなる周縁にコの字型の熱接着部を形成し、このコの字型の熱接着部に雌型と雄型を使用した常温でのエンボス加工により点字を形成する点字付き高温滅菌用袋の製造方法であって、前記雄型が前記点字に対応した複数の円筒状突起を有し、前記雌型が前記円筒状突起と嵌合する円筒状孔を所定の間隔をおいてマトリックス状に形成したものであることを特徴とする点字付き高温滅菌用袋の製造方法。
【請求項３】
前記雄型の前記円筒状突起の直径を１．０〜１．８ｍｍ、高さを０．７〜０．９ｍｍとし、前記雌型の前記円筒状孔の直径を１．２〜２．０ｍｍとすることにより、直径が１．２〜２．０ｍｍで高さが０．３〜０．５ｍｍの点にて構成される点字を形成することを特徴とする請求項２に記載の点字付き高温滅菌用袋の製造方法。
【発明の詳細な説明】
【０００１】
【発明の属する技術分野】
本発明は、周縁の熱接着部に点字により所定の情報を表示したプラスチックフィルムからなる点字付き高温滅菌包装体および高温滅菌用袋の製造方法に関する。
【０００２】
【従来の技術】
従来、点字が付いた包装容器としては、例えば、実開昭６１−１７２０３０号公報に記載されているような、ラミネート素材がアルミニウム箔を含む構成からなる溶着密封の袋であって、溶着部分に凸版状の点字が形成された構成の点字付き袋が知られているが、この点字付き袋は胃薬等の包装用の袋であって、高温滅菌する用途に使用されるものではない。
【０００３】
１２０℃で４分間程度加熱する用途に使用される、点字付き高温滅菌包装用袋においては、袋を構成するラミネート素材がアルミニウム箔を含む場合は、袋に形成された点字が高温滅菌により多少高さが減少するものの容易に感知できる。しかし、ラミネート素材にアルミニウム箔を含んでいると、使用後の焼却処理においてアルミニウム箔が焼却炉を傷めたり焼却効率を低下させたりする問題があるとともに、袋に内容物を収納する際に金属片等が混入していないか金属検知器を用いて検査することが出来ないという欠点がある。一方、袋を構成するラミネート素材にアルミニウム箔を含まない構成の場合は、袋に形成された点字が高温滅菌する際の熱により変形して、点字の高さが低くなり点字が読み難くなるという欠点を有している。
【０００４】
【発明が解決しようとする課題】
本発明の目的は、プラスチックフィルムからなり周縁の熱接着部に触覚により容易に感知できる高さを有する点字が形成された高温滅菌包装体を提供することにある。
【０００５】
【課題を解決するための手段】
プラスチック基材層と熱接着性樹脂層を備えた積層フィルムからなり、周縁の熱接着部に点字が形成された点字付き高温滅菌用袋に内容物を収納して高温滅菌した点字付き高温滅菌包装体において、前記点字付き高温滅菌包装体の点字の高さが１００〜２５０μｍであって、前記点字が前記点字付き高温滅菌用袋を製造する際の熱接着工程と別の工程にて、雌型と雄型を使用した常温でのエンボスにより形成されたものである構成とすることにより、熱接着部に形成された点字を触覚により感知して正確に読み取ることができる。
【０００６】
上記の点字付き高温滅菌包装体において、前記点字が点字付き高温滅菌用袋を製造する際の熱接着工程と別の工程にて、雌型と雄型を使用した常温でのエンボスにより形成することにより、高温滅菌用袋の熱接着部を形成するための熱板に点字を刻設しておき熱接着部の形成時に点字を形成する方法と比較して、雌型及び雄型の作製が容易となり点字を形成する工程を簡略化することができる。
【０００７】
請求項２の発明は、プラスチック基材層と熱接着性樹脂層からなる４角形状の２枚の積層フィルムの熱接着性樹脂層を合わせた状態で４角形状の三辺からなる周縁にコの字型の熱接着部を形成し、このコの字型の熱接着部に雌型と雄型を使用した常温でのエンボス加工により点字を形成する点字付き高温滅菌用袋の製造方法であって、前記雄型が前記点字に対応した複数の円筒状突起を有し、前記雌型が前記円筒状突起と嵌合する円筒状孔を所定の間隔をおいてマトリックス状に形成したものであることを特徴とする点字付き高温滅菌用袋の製造方法である。
また、請求項３の発明は、請求項２に記載の点字付き高温滅菌用袋の製造方法において、前記雄型の前記円筒状突起の直径を１．０〜１．８ｍｍ、高さを０．７〜０．９ｍｍとし、前記雌型の前記円筒状孔の直径を１．２〜２．０ｍｍとすることにより、直径が１．２〜２．０ｍｍで高さが０．３〜０．５ｍｍの点にて構成される点字を形成することを特徴とするものである。
【０００８】
【発明の実施の形態】
以下、図面に基づいて本発明の実施の形態を説明する。
図１は本発明の点字付き高温滅菌包装体の実施形態を示す平面図、図２は図１におけるＩ−Ｉ拡大断面図、図３は実施形態の点字付き高温滅菌包装体に使用する点字付き高温滅菌用袋の図２に対応する拡大断面図、図４は点字を形成するためのエンボス装置の概略を示す図であって、２，３，４は熱接着部、５は点字、６, 6'は点字を構成する点、７は内容物、８は雄型、8aは円筒状突起、９は雌型、9aは円筒状孔、10，10' は積層フィルムをそれぞれ表す。
【０００９】
本発明の点字付き高温滅菌包装体の実施形態は、図１、図２に示すとおりである。平面形状は、図１に示すように、プラスチック基材層と熱接着性樹脂層からなる４角形状の２枚の積層フィルム10,10'の熱接着性樹脂層を合わせた状態で周縁に熱接着部２，３を形成することにより作製された点字付き高温滅菌用袋の内部に内容物７を収納して熱接着部４を形成して密封した後に、１２０℃で４分間滅菌した高温滅菌包装体であって、熱接着部２には高さが１００〜２５０μｍである点６にて構成される点字５が形成されている。点６の直径は１．２〜２．０ｍｍとされている。
【００１０】
実施形態の点字５が形成された部分の断面形状は、図２に示すように、プラスチック基材層と熱接着性樹脂層を備えた２枚の積層フィルム10,10'が熱接着性樹脂層面にて熱接着された熱接着部に、点字５を構成する複数の点６が１００〜２５０μｍの高さに形成されている。点字５を構成する点６の高さを１００〜２５０μｍとすることにより、触覚により感知して点字５を容易に読み取ることができるものである。
【００１１】
実施形態の点字付き高温滅菌包装体を作製するための点字付き高温滅菌用袋における点字５が形成された部分の断面形状は、図３に示すとりであり、点字５を構成する複数の点6'が３００〜４５０μｍの高さに形成されている。点6'の高さを３００〜４５０μｍに形成しておくことにより、この点字付き高温滅菌用袋に内容物を充填して１２０℃で４分間滅菌した場合に、点字５の高さが多少減少することがあっても、１００〜２５０μｍの点6'の高さを確保することができるので高温滅菌包装体の点字を容易に読み取ることができる。
【００１２】
高温滅菌用袋の熱接着部２に点字５を形成するには、高温滅菌用袋の製造時に熱接着部を形成する熱接着工程とは別の工程にて、図４に示すように、点字５に対応した複数の円筒状突起８ａを備えた雄型８と、円筒状突起８ａと嵌合する円筒状突起８ａに対応する複数の円筒状孔９ａを備えた雌型９を使用し、プラスチック基材層と熱接着性樹脂層からなる２枚の積層フィルム１０，１０’が熱接着された熱接着部を、雄型８と雌型９間に載置し常温にて加圧してエンボスを行うことにより形成されるものである。この方法にてエンボスを行うことにより、雄型８の円筒状突起８ａの高さを変えることにより、形成する点６’の高さを変えることができるとともに、雄型８と雌型９を加熱する必要がないので雄型８と雌型９の構成を簡単にすることができる。
【００１３】
雄型８の円筒状突起８ａの直径を１．０〜１．８ｍｍ、高さを０．７〜０．９ｍｍとし、円筒状孔９ａの直径を１．２〜２．０ｍｍとすることにより、直径が１．２〜２．０ｍｍで高さが０．３〜０．５ｍｍの点６’にて構成される点字５を形成することができる。また、雄型８の円筒状突起８ａと嵌合する雌型９に形成する円筒状孔９ａを、いかなる点字にも対応できるように所定間隔をおいてマトリックス状に形成しておくことにより、点字の表示を変更する際には、円筒状突起８ａの位置の異なる雄型８に取り替えるだけでよく、雌型９を取り替えずにそのまま使用できるので、表示する点字の変更が容易となる。
【００１４】
積層フィルム10,10'はプラスチック基材層と熱接着性樹脂層を備えた構成からなり、プラスチック基材層としては、耐熱性、強度の優れた２軸延伸ポリエチレンテレフタレート（ＰＥＴ）、シリカ蒸着２軸延伸ポリエチレンテレフタレート（ＶＭＰＥＴ）、２軸延伸ナイロン（ＯＮ）、シリカ蒸着２軸延伸ナイロン（ＶＭＯＮ）、２軸延伸ポリプロピレン（ＯＰＰ）等の２軸延伸フィルム、又はそれらの積層体が使用できる。熱接着性樹脂層としては、耐熱性の優れた高密度ポリエチレン（ＨＤＰＥ）、未延伸ポリプロピレン（ＣＰＰ）、エチレン−プロピレン共重合体（ＥＰ）等が使用できる。点字付き高温滅菌包装体は、１００℃以上の高温で数分間加熱処理されて滅菌されるので、耐熱性及び強度の優れたフィルムが必要である。
【００１５】
積層フィルム10,10'の構成としては、ＰＥＴ１２μｍ／ドライラミネーション（ＤＬ）／ＯＮ１５μｍ／ＤＬ／ＣＰＰ６０μｍ、ＶＭＰＥＴ１２μｍ／ＤＬ／ＯＮ１５μｍ／ＤＬ／ＣＰＰ６０μｍ、ＰＥＴ１２μｍ／ＤＬ／ＯＮ１５μｍ／ＤＬ／ＨＤＰＥ６０μｍ、ＰＥＴ１２μｍ／ＤＬ／ＶＭＯＮ１５μｍ／ＤＬ／ＣＰＰ６０μｍ、ＯＰＰ２０μｍ／ＤＬ／ＯＮ１５μｍ／ＤＬ／ＣＰＰ６０μｍ、ＰＥＴ１２μｍ／ＤＬ／ＣＰＰ８０μｍ、ＰＥＴ１２μｍ／ＤＬ／ＨＤＰＥ６０μｍ、ＯＮ１５μｍ／ＤＬ／ＣＰＰ６０μｍ等である。上記の積層構成中に金属層を含まないので、内容物を収納した状態で電子レンジ加熱が可能である。
【００１６】
【発明の効果】
プラスチック基材層と熱接着性樹脂層を備えた積層フィルムからなり、周縁の熱接着部に点字が形成された点字付き高温滅菌用袋に内容物を収納して高温滅菌した点字付き高温滅菌包装体において、前記点字付き高温滅菌包装体の点字の高さが１００〜２５０μｍであって、前記点字が前記点字付き高温滅菌用袋を製造する際の熱接着工程と別の工程にて、雌型と雄型を使用した常温でのエンボスにより形成されたものである構成とすることにより、熱接着部に形成された点字を触覚により感知して正確に読み取ることができる。
【００１７】
上記の点字付き高温滅菌包装体において、前記点字が点字付き高温滅菌用袋を製造する際の熱接着工程と別の工程にて、雌型と雄型を使用した常温でのエンボスにより形成することにより、高温滅菌用袋の熱接着部を形成するための熱板に点字を刻設しておき熱接着部の形成時に点字を形成する方法と比較して、雌型及び雄型の作製が容易となり点字を形成する工程を簡略化することができる。
【００１８】
また、点字付き高温滅菌用袋の製造方法により得られた高温滅菌用袋を用いた点字付き高温滅菌包装体において、雄型が円筒状突起を有し、雌型が円筒状突起と嵌合する円筒状孔を有する構成とすることにより、雄型の円筒状突起の高さを変えるだけで形成する点字の高さを変えることができる。
【図面の簡単な説明】
【図１】本発明の点字付き高温滅菌包装体の実施形態を示す平面図。
【図２】図２におけるＩ−Ｉ拡大断面図。
【図３】実施形態の点字付き高温滅菌包装体に使用する点字付き高温滅菌用袋の図２に対応する拡大断面図。
【図４】点字を形成するためのエンボス装置の概略を示す図。
【符号の説明】
２，３，４  熱接着部
５  点字
６, 6'  点字を構成する点
７  内容物
８  雄型
8a  円筒状突起
９  雌型
9a  円筒状孔
10，10'   積層フィルム
【図１】
0004797253.tif 000002
【図２】
0004797253.tif 000003
【図３】
0004797253.tif 000004
【図４】
0004797253.tif 000005